Podtech/llm-jp-corpus-v4-ja_patent huggingface dataset:
(57)【要約】      （修正有）【課題】ビールなどの発泡飲料を注いでおくと、泡層が減少しやがて消え温度も上昇するため、微細な泡層、飲料適温を長時間持続させることが出来る従来容器に付属することができる発泡体を提供する。【解決手段】容器４の底部に陶磁器製の発泡体１を置き微細な泡を長時間発生させ安定した泡層を確保する。さらに長時間容器に注ぎ経過した場合は発泡体１を予め冷蔵、冷凍し容器４内の発泡体１と交換することにより再発泡、適温飲料を特徴とする。【選択図】図７
0003141263.tif 000002
【実用新案登録請求の範囲】
【請求項１】
発泡飲料用容器に用いる円柱状の陶磁器製発泡用具であって、多数の貫通穴と、多数の側面部の溝と、全表面に微細な凹凸と、を有することを特徴とする発泡用具。
【考案の詳細な説明】
【技術分野】
【０００１】  本考案はビールなどの発泡飲料を、より一層美味しく飲むため、従来の容器に付属する発泡用具である。
【背景技術】
【０００２】  従来、ビールなどの発泡飲料をビン、缶などから容器に注いだ当初は，上面に泡の層が形成される。この泡の層は時間と共に減少しやがて消え、温度も上昇し味覚が低下する。これを防ぐために、加工されたコップなどが開示されている（例えば，特許文献１〜３参照。）。
【特許文献１】特開平８−２５２１５９号公報
【特許文献２】特開２０００−６０７１０号公報
【特許文献３】特開平１０−２３４５４９号公報
【考案の開示】
【考案が解決しようとする課題】
【０００３】  従って、ビールなどの発泡飲料を容器に注いだ際、または注いだ後、次のような課題がある。
（イ）泡立ちが悪く、気泡のきめが粗く、泡のむらが多い。
（ロ）気泡が長続きせず、発泡時間が短いため容器内の泡層がやがて消える。
（ハ）注ぎ時の飲料適温が長時間保持されない。
本考案は、上記の課題を解決するための発泡用具を提供することを目的とする。
【課題を解決するための手段】
【０００４】  本考案の請求項１に記載の発泡用具は、発泡飲料用容器に用いる円柱状の陶磁器製発泡用具であって、多数の貫通穴と、多数の側面部の溝と、全表面に微細な凹凸と，を有することを特徴とする。
【考案の効果】
【０００５】  本考案はビールなどの発泡飲料を飲料する容器の内部底部に発泡体を置き以下の効果を得る。
（イ）発泡性の促進による容器内飲料泡層の長期安定確保を図る。
（ロ）泡の微細化、泡の多量化、泡むらのない泡立ちを図る。
（ハ）発泡体を交換することにより再発泡、飲料適温化を図る。
以上の物理的効果により嗜好的効果を生みビールなどの発泡飲料本来の美味しさである酷を増し、まろやかな風味口当たりの良いマイルドな喉越しさわやかな味が長時間持続し、ビールなどの発泡飲料をビン、缶、樽、から開封時と同等以上の美味しさを十分に楽しむことができる。
【考案を実施するための最良の形態】
【０００６】    本考案を図１の発泡体１の斜視図により説明する。
（イ）複数の発泡穴２、発泡溝３により発泡が長時間化する。発泡穴２は図２に示すように表面積を多くするため数多くの穴を有する。穴径は３〜１０ｍｍ、穴間隔は３〜８ｍｍとする。発泡溝３は図３に示すように発泡体１の周囲に数多く配置し、発泡溝３の深さは１〜５ｍｍとする。発泡穴２の詳細を図４の発泡穴断面に示す。また図５は発泡溝３の断面図である。
（ロ）表面仕上げによる微細泡立ちの長時間化を図る。図６の表面仕上げ状態図に示すように、発泡体表面１ａ（１）、発泡体断面の凹凸１ａ（２）、発泡穴面２ａ（１）、発泡穴断面の凹凸２ａ（２）、発泡溝面３ａ（１）、発泡溝断面の凹凸３ａ（２）、は凹凸仕上げとする。
（ハ）発泡体１の材質は発泡性に優れた陶磁器製素焼きとする。
（ニ）発泡体１の形状は円柱状が望ましいが、容器の形状によっては、多角形柱体や球形体であってもよい。
（ホ）図７に示すように、ビールなどの発泡飲料を容器４に注ぎ長時間経過した場合、泡が消え温度も上昇し飲料に適しない。この対策として、発泡体１を予め冷蔵、冷凍したものを容器４内の発泡体１と交換する事により再発泡、飲料適温を確保する。
【実施例１】
【０００７】  以下、図７の全体斜視図に従って実施例を説明する。容器４の内部底に予め冷蔵、冷凍した発泡体１を投入し、ビールなどの発泡飲料５を注ぐ。泡は発泡体１の発泡穴２発泡溝３、発泡体１の表面から泡６が立ち、ビールなどの発泡飲料５の上面に泡層７のうに形成され、安定した泡層７を得ることができ、美味しい飲料が得られる。さらにくり返し使用した場合は発泡体１を交換することにより初期の効果を得ることができる。容器に長時間放置すると泡層７が消えて温度も上昇する。この対策としては、冷凍した予備の発泡体１と交換し、発泡を促進し泡層７，飲料適温を確保することができる。
【図面の簡単な説明】
【０００８】
【図１】本考案の発泡体斜視図である。
【図２】発泡体の平面図である。
【図３】発泡体の側面図である。
【図４】発泡体の穴断面図である。
【図５】発泡体の溝断面図である。
【図６】発泡体の表面仕上げ状態図であり、１ａ（１）は発泡体表面、１ａ（２）は断面図、２ａ（１）は発泡穴面、２ａ（２）は断面図、３ａ（１）は発泡溝面、３ａ（２）は断面図である。
【図７】実施例１の全体斜視図である。
【符号の説明】
【０００９】  １          発泡体
２          発泡穴
３          発泡溝
４          容器
５          ビールなどの発泡飲料
６          泡
７          泡層
【図１】
0003141263.tif 000003
【図２】
0003141263.tif 000004
【図３】
0003141263.tif 000005
【図４】
0003141263.tif 000006
【図５】
0003141263.tif 000007
【図６】
0003141263.tif 000008
【図７】
0003141263.tif 000009
(57)【要約】      （修正有）【課題】一本の整備道具で削る、掬う、均すなどが出来る雪面整備道具を提供する。【解決手段】氷、硬雪を削る刃先形状で、刃の胴体２から伸びる柄４は加える力を効率よく伝え、胴体部２から雪止め部の形状で雪を掬う、又押す作業を可能にし、軽金属の使用により軽い雪面整備道具で人的負担を軽減、短時間で綺麗な滑走斜面を作り、また長時間の作業を可能にする【選択図】図１
0003141262.tif 000002
【実用新案登録請求の範囲】
【請求項１】
雪面を削る山形の刃先と雪を載せる胴体部、雪止めの返し部により構成された雪面成形刃を特徴とし、胴体部よりのびる柄は角度良く力を刃先に伝えることが出来、軽量合金を使用、無駄な部分は切り落とし軽量化、また適当な厚みで強度を確保した。雪面整備道具
【考案の詳細な説明】
【技術分野】
【０００１】本考案は、スキー場、スノーパーク、室内スキー及びスノーボード競技場、他施設での雪面整備道具に関するものである
【背景技術】
【０００２】スキー場等において、人員で整備の際はスコップ、レイキ、スノーダンプ等の一般的なもの、またそれを改良した道具にて行っている
【考案の開示】
【考案が解決しようとする課題】
【０００３】現在、荒れたコース、アイスバーン、パークコースなど圧雪車で整備出来ない狭い場所などは人員により行なっている。スコップ等一般的な用具を使っている事から、無理な体勢での作業、時間が掛かるなど負担が大きい。
一本の道具で削る、掬う、均すなど出来る用具を作る事により前述の欠点を解決しようと言うものである
【課題を解決するための手段】
【０００４】本考案は、１本の道具で硬いコースの凹凸を削る、滑らかな斜面を作る、雪を入れて効率よく整備作業が出来る、またバンク、ハーフパイプなど高さのある場所、リフト乗り場等圧雪車両の入れない場所などで使えるなど、断続的に作業が出来る軽くて丈夫な用具を作る事から問題点を解決している
【考案の効果】
【０００５】上記の様に、本考案の雪面整備道具は氷、硬雪を削る刃先形状で、刃の胴体から伸びる柄は加える力を効率よく伝え、胴体部から雪止め部の形状で雪をすくう、又押す作業を可能にしました。軽金属の使用により軽い道具で人的負担を軽減し、短時間で綺麗な滑走斜面を作れ、また長時間の作業を可能にします。
【考案を実施するための最良の形態】
【０００６】刃先に三角形の鋭利な突起部を持つ刃先形状で氷、硬雪を捉え、斜めの部分で削る等、効果が得られ、刃の胴体から伸びる柄は加える力を逃さず刃先に伝え、効率よく雪面を削り、胴体部から雪止め部の形状は雪をすくう、又押す作業を可能にするなど。削り、排雪、均すなど、軽金属の使用により軽くて丈夫な道具となる。胴体部に取り付けられた柄は作業時に自然に立ち無理の無い態勢で作業が出来る高さに設定される
【実施例】
【０００７】以下、実施例は添付図面に沿って説明する。
１の刃先部は山形の突起部が硬雪、氷を捉え斜めの部分で削る形状である。
２・３は胴体部から雪止部の形状により雪を押す、掬うことが出来る。
４は胴体部に取り付けられた柄の部分で自然に立って作業できる高さに来る様、５の胴体部に取り付けられる。
以上の構造で材料に軽金属を使用、軽さと適切な厚さにより強度を持たせている。
【産業上の利用可能性】
【０００８】スキー場に関わらず、１本で複数の用途を持つ雪面整備道具は雪国での利用価値は高く、一般、他への普及も考えられる。
【図面の簡単な説明】
【０００９】
【図１】本考案、雪面整備道具の実施例を示す平面及び全体図である
【符号の説明】
【００１０】１  刃先部
２  胴体部
３  雪止め部
４  柄
５  取り付け部
【図１】
0003141262.tif 000003
(57)【要約】      （修正有）【課題】履き慣れないハイヒールで足を痛める等の問題を解決するため、手軽に自分の履きたい高さに変えられるハイヒール練習靴を提供する。【解決手段】靴のかかと部分に目盛りつきの突っ張り棒を取り付けることで、この練習靴一足で自分の好みの高さのハイヒールを作ることができる。初めは履き易い高さから始め、徐々に自分の理想の高さへと伸ばして行く。このハイヒール練習靴を室内外の普段の生活に用いることにより、履き慣れないハイヒールで足を痛める等の問題が解決され得る。【選択図】図１
0003141270.tif 000002
【実用新案登録請求の範囲】
【請求項１】
従来のハイヒールのヒール部分を目盛りつきの突っ張り棒にすることで、手軽に自分の理想の高さのハイヒールを作ることができる、ハイヒール練習靴
【考案の詳細な説明】
【技術分野】
【０００１】  本考案は、メモリつきの突っ張り棒を靴のかかとに取り付けた、ハイヒールに関するものである。
【背景技術】
【０００２】  多くの女性はハイヒールを履く練習を特にせず、特別な日だけに無理をしてヒールの高い靴を履くケースが多い。または「足が痛くなる」という理由で、初めからハイヒールを履くことをあきらめるケースも見受けられる。
【考案の開示】
【考案が解決しようとする課題】
【０００３】  室内もしくは屋外において、手軽に自分が履きたいと思える高さのハイヒールを練習できる靴が必要である。
【課題を解決するための手段】
【０００４】  本考案は、靴のかかと部分に目盛りつきの突っ張り棒を取り付けることで、これ一足で自分の好みの高さのハイヒールを作ることができる。初めは履き易い高さから始め、徐々に自分の理想の高さへと伸ばして行く。このハイヒール練習靴を室内外の普段の生活の中に用いることにより問題点を解決できる。
【考案の効果】
【０００５】  本考案のハイヒール練習靴があれば、履きなれないハイヒールを無理に履いて足を痛めたり、ハイヒールを履きたいのに諦めたりしなくてすむ。また、室内外の日常生活に用いることで、ふくらはぎおよび足首のダイエットにもつながる。
【図１】
0003141270.tif 000003
【手続補正書】
【提出日】平成20年2月27日(2008.2.27)
【手続補正１】
【補正対象書類名】明細書
【補正対象項目名】全文
【補正方法】変更
【補正の内容】
【考案の詳細な説明】
【技術分野】
【０００１】  本考案は、メモリつきの突っ張り棒を靴のかかとに取り付けた、ハイヒールに関するものである。
【背景技術】
【０００２】  多くの女性はハイヒールを履く練習を特にせず、特別な日だけに無理をしてヒールの高い靴を履くケースが多い。または「足が痛くなる」という理由で、初めからハイヒールを履くことをあきらめるケースも見受けられる。
【考案の開示】
【考案が解決しようとする課題】
【０００３】  室内もしくは屋外において、手軽に自分が履きたいと思える高さのハイヒールを練習できる靴が必要である。
【課題を解決するための手段】
【０００４】  本考案は、靴のかかと部分に目盛りつきの突っ張り棒を取り付けることで、これ一足で自分の好みの高さのハイヒールを作ることができる。初めは履き易い高さから始め、徐々に自分の理想の高さへと伸ばして行く。このハイヒール練習靴を室内外の普段の生活の中に用いることにより問題点を解決できる。
【考案の効果】
【０００５】  本考案のハイヒール練習靴があれば、履きなれないハイヒールを無理に履いて足を痛めたり、ハイヒールを履きたいのに諦めたりしなくてすむ。また、室内外の日常生活に用いることで、ふくらはぎおよび足首のダイエットにもつながる。
【図面の簡単な説明】
【０００６】
【図１】は本考案のハイヒール練習靴の側面図である。
(57)【要約】      （修正有）【課題】投入の際にイカ針の胴の所を片手の手のひらに限られた数本を持って錘から順次に投入する際に手に引っ掛かかったりせず、仕掛けは手に持っての移動や収納が便利になる。。【解決手段】  箱１の中に複数のガラス筒２を並列に設けたイカ針９は簡単にガラス筒２に挿入を出来る。投入の際に把手５の角度を簡単に変えることによって錘から順次に投入するとイカ針は一本一本とスム−ズに飛び出すことが出来る。又、針の糸は脱落防止ゴム板６の溝に挟んで移動又は収納することが出来るので初心者でも怪我なく気楽に出来る。【選択図】図１
0003141264.tif 000002
【実用新案登録請求の範囲】
【請求項１】
箱の中に複数のガラス筒を並列に設けたことを特徴とするイカ針投入器装置。
【請求項２】
把手又は船縁取付け用の脚を前記箱に着脱可能に設けたことを特徴とする請求項１記載のイカ針投入器装置。
【考案の詳細な説明】
【技術分野】
【０００１】  本考案は釣り具に使用するイカ針投入器装置に関わるものである。
【背景技術】
【０００２】  従来のイカ針投入の際に片手の手のひらにイカ針を扇形に胴体の所を限られた数本を持って投入の順番に並べ針は上向きにして錘から順次に投入し一本一本と投入する際いに手に引っ掛かかったり怪我等を生じ不安全な行動で行なっていた（図３）。
【考案の開示】
【考案が解決しようとする課題】
【０００３】  しかし、これでは釣に関する不利不便を生じるので不安全な行動でもあるし不便である。
【課題を解決するための手段】
【０００４】  箱の中に複数のガラス筒を並列に設けたことを特徴とするイカ針投入器装置。把手又は船縁取付け用の脚を前記箱に着脱可能に設けたことを特徴とする請求項１記載のイカ針投入器装置。
【考案の効果】
【０００５】  よって、本考案の釣具のイカ針投入器装置は片手に持って投入の際に手に引っ掛かったりすることなく安全な行動で出来る。
【考案を実施するための最良の形態】
【０００６】  本考案に係わる釣具のイカ針投入器装置は図１に示すように箱１の中に複数のガラス筒２を並列に設けた。イカ針９の本数は多数設けることが出来る。イカ針９はガラス筒２に針の方から順番に並べて挿入し又、投入時把手５を持って角度を変えることによって錘７から投入するとイカ針９は一本一本とスム−ズに飛び出すすることが出来る。又、釣り上げの時にイカ針投入器装置図１の持ち方は左手で把手５を縦にしてイカ針９を釣り上げた順番に一本一本とイカ針投入器装置に挿入する。最初のイカ針９挿入の状態でそのまま左手を上げると次のイカ針９の胴体を右手に持って左手の把手５を下げるとそのまま右手に持ったイカ針９を挿入することの繰り返しの動作である、移動の場合は糸は脱落防止６の溝に挟む（図１）。
又イカ針投入器装置は図２に示すように船縁１６にも取付することも出来る。その際に把手５のビス４を取り外しイカ針投入器装置の下端の両端側に凹１３に脚１１の凸１４を挿入しビス１０ａで取付し、又脚１１と万力１２と船縁１６に取付する。又、投入をする際にイカ針９の糸は脱落防止６の溝に挟む、又イカ針９とイカ針９の間の糸２０は海側でよい、イカ針投入器装置は上にあげると脚１１の溝１７に沿って手を放すとイカ針投入器装置は海側に倒れると投入の準備に入る（図２の投入取付姿図）。投入後は倒れた状態で起こすとイカ針投入器装置は元に戻すと縦になってイカ針投入器装置の凹１３が脚１１の凸１４に挿入すると縦になる。したがって次の準備が出来るのでイカ針９を両手を使って上げることが出来てイカ針投入器装置に簡単に挿入を出来る（図２）。
【図面の簡単な説明】
【０００７】
【図１】  本考案に係る釣具のイカ針投入器装置の斜視図である。
【図２】  本考案に係る釣具のイカ針投入器装置の斜視図である。
【図３】  従来のイカ針投入は片手の手のひらに扇形に持って投入の斜視図である。
【符号の説明】
【０００８】  １    箱
２    ガラス筒
３    把手金具
４    把手取り付けビス
５    把手
６    脱落防止ゴム板
７    錘
８    道糸と接続撚戻
９    イカ針
１０    脚の取り付けナット左右側
１０ａ  脚の取り付けビス左右側
１１    脚
１２    万力
１３    凹左右側
１４    凸左右側
１５    上記１３を１４に挿入
１６    船縁
１７    溝
１８    万力ハンドル
１９    上記１０ａの不用時の取り付けビス
２０    糸
【図１】
0003141264.tif 000003
【図２】
0003141264.tif 000004
0003141264.tif 000005
【図３】
0003141264.tif 000006
【手続補正書】
【提出日】平成20年2月15日(2008.2.15)
【手続補正１】
【補正対象書類名】図面
【補正対象項目名】全図
【補正方法】変更
【補正の内容】
【図１】
0003141264.tif 000007
【図２】
0003141264.tif 000008
【図３】
0003141264.tif 000009
【手続補正２】
【補正対象書類名】明細書
【補正対象項目名】０００７
【補正方法】変更
【補正の内容】
【０００７】
【図１】  本考案に係る釣具のイカ針投入器装置の斜視図である。
【図２】  本考案に係る釣具のイカ針投入器装置の（Ａ）脚の拡大図の（ａ）正面図、（ｂ）側面図、（Ｂ）正面準備姿図、（Ｃ）投入取付姿図である。
【図３】  （Ａ）従来のイカ針投入状態を示す図であり、片手の手のひらに扇形に持って投入する状態の斜視図、（Ｂ）板等にイカ針を収納した状態の斜視図である。
(57)【要約】従来のシングルハンガーは掛けパイプが１本のため大容量の洋服等衣類の整理収納及び商品の展示陳列が出来ない。【解決手段】下部フレームにＴ字型パイプストッパーを使用し掛けパイプを組み込み固定し、上部フレームを任意の位置に伸縮スライドすることにより、従来の２倍の容量の洋服等衣類を収納及び商品の展示陳列が可能になる。具体的には、フレームを２分割して、下部フレームを固定し、Ｔ字型パイプストッパーを使用することにより，シングルハンガーとして使用、上部フレームを任意の高さに伸縮スライドすることにより、２段ハンガーとして使用が可能な洋服等衣類の整理収納及び商品陳列用のハンガーラックである。【選択図】    図５
0003141267.tif 000002
【実用新案登録請求の範囲】
【請求項１】
フレームを２分割して、下部フレームを固定し、Ｔ字型パイプストッパーを使用することにより，シングルハンガーとして使用、上部フレームを任意の高さに伸縮スライドすることにより、２段ハンガーとして使用が可能な洋服等衣類の整理収納及び商品陳列用のハンガーラック。
【考案の詳細な説明】
【技術分野】
【０００１】
本考案は収納の分野でパイプとＴ字型パイプストッパーを使用して家庭での洋服等衣類を整理収納や、ホームセンター等販売店で商品を整理収納及び展示陳列するためのハンガーラックに関するものれある。
【背景技術】
【０００２】
従来からパイプを使用して洋服等衣類を整理収納するためのハンガーラックがあった。
【考案の開示】
【考案が解決しようとする課題】
【０００３】
従来のシングルハンガーは掛けパイプが１本のため大容量の洋服等衣類を整理収納できない。
【課題を解決するための手段】
【０００４】
従来の物は掛けパイプが上部フレームに１本のため大容量の洋服等衣類を整理収納及び商品の展示陳列ができない。
本考案はＴ字型パイプストッパーを使用し下部フレームに掛けパイプを組み込み固定し、前記上部フレームを任意の位置に伸縮スライドすることにより２段ハンガーとなり、従来の２倍の容量の洋服等衣類を整理収納及び商品の展示陳列が可能になる。
本考案はこれ等の問題を解決するために考案されたものである。
【考案の効果】
【０００５】
フレームを２分割して、下部フレームを固定し、Ｔ字型パイプストッパーを使用することにより、シングルハンガーとして使用、上部フレームを任意の高さに伸縮スライドすることにより、２段ハンガーとして使用が可能な洋服等衣類の整理収納及び商品展示陳列用のハンガーラック。
【考案を実施するための最良の形態】
【０００６】
（図１）正面図
（図２）左側面図
（図３）右側面図
（図４）部品図
（図５）説明図
（図６）従来の物の図及び本考案の物の図
（図１〜図６）の符号
１下部フレーム
２上部フレーム
１−１  Ｔ字型パイプストッパー
１−２  下部フレーム縦パイプ
１−３  ベース
１−４  キャスター
１−５  下部フレーム接続パイプ
１−６  下部フレーム掛けパイプ
２−１  コーナー接続部品
２−２  上部フレームスライドパイプ
２−３  上部フレーム掛けパイプ
【図面の簡単な説明】
【０００７】
【図１】正面図
【図２】左側面図
【図３】右側面図
【図４】部品図
【図５】説明図
【図６】従来の物の図および本考案の物の図
【符号の説明】
【０００８】
１  下部フレーム
２  上部フレーム
１−１  Ｔ字型パイプストッパー
１−２  下部フレーム縦パイプ
１−３  ベース
１−４  キャスター
１−５  下部フレーム接続パイプ
１−６  下部フレーム掛けパイプ
２−１  コーナー接続部品
２−２  上部フレームスライドパイプ
２−３  上部フレーム掛けパイプ
【図１】
0003141267.tif 000003
【図２】
0003141267.tif 000004
【図３】
0003141267.tif 000005
【図４】
0003141267.tif 000006
【図５】
0003141267.tif 000007
【図６】
0003141267.tif 000008
(57)【要約】      （修正有）【課題】寒冷時足が冷たく、夜間は交通安全面で不安全であり、そして長時間の同一姿勢による健康面の心配を解消した靴の提供。【解決手段】充電式の保温・点灯・バイブレーション付靴に靴２０は、充電器コネクター１及びボタン操作２により保温・点灯・バイブを選択し、保温、点灯、マッサージが出来るので、保温、安全、健康を改善できる。【選択図】図１
0003141239.tif 000002
【実用新案登録請求の範囲】
【請求項１】
充電方法により保温・点灯・バイブレーションの装置を付加した靴。
【考案の詳細な説明】
【技術分野】
【０００１】  本考案は、充電方法により保温・点灯・バイブレーション付靴に関する。
【背景技術】
【０００２】  従来の靴では、保温・点灯・バイブレーションができない。（図２）
【考案の開示】
【考案が解決しようとする課題】
【０００３】  これでは寒冷時指先が寒く、また夜間交通安全上不安全である。更にバイブレーション機能がないため、健康管理上不都合が生じていた。
【課題を解決するための手段】
【０００４】  そこで、充電法の保温・点灯・バイブ装置付靴を考案した。（図１）。
【考案の効果】
【０００５】  よって、この機能により、こうした不具合を解消できる。
【考案を実施するための最良の形態】
【０００６】  本考案に係る機能を有する靴２０は、図１に示すように、充電器コネクター１及びボタン操作２により保温・点灯・バイブを選択し、保温、点灯、マッサージが出来るので、保温、安全、健康を改善できる。
【図面の簡単な説明】
【０００７】
【図１】  本考案に係る機能を持つ装置を搭載した靴の概観図である。
【図２】  従来の靴の図である。
【符号の説明】
【０００８】  １    充電器コネクター
２    選択ボタン
１０    従来の靴
２０    充電式靴
【図１】
0003141239.tif 000003
【図２】
0003141239.tif 000004
【手続補正書】
【提出日】平成20年1月18日(2008.1.18)
【手続補正１】
【補正対象書類名】実用新案登録請求の範囲
【補正対象項目名】全文
【補正方法】変更
【補正の内容】
【実用新案登録請求の範囲】
【請求項１】
電動式保温・点灯・バイブレーション装置を内蔵し、充電器コネクターにより充電できる装置を付加した靴。
【手続補正３】
【補正対象書類名】明細書
【補正対象項目名】０００１
【補正方法】変更
【補正の内容】
【０００１】本考案は、充電器コネクターによる充電式保温・点・バイブレーション付靴に関する。
【手続補正４】
【補正対象書類名】明細書
【補正対象項目名】０００４
【補正方法】変更
【補正の内容】
【０００４】そこで、電動式保温・点灯・バイブレーション装置を内蔵し、充電器コネクターで充電する装置を付加した靴を考案した。
(57)【要約】      （修正有）【課題】従来、垂直方向性を維持し、鍼治療と併用できるタイオード治療用具がある。しかしながら、らせんの形状上、日常生活、スポーツ時等に、体表に固定して、継続使用する事が困難であった。【解決手段】ダイオード中心の半導体部を、上下から、絶縁体で保定し、両端金属接触部（アノード部、カソード部）を、それぞれ上下面に突出させ、導体により保定させる事によって、上記課題を解決するものである。【選択図】図１
0003141233.tif 000002
【実用新案登録請求の範囲】
【請求項１】
垂直方向性を維持し、鍼治療と併用できるダイオード治療用具に関しては、実用新案登録済みであるが、（出願番号  実願２００７−００３８７１、登録第３１３４８６３号）従来のらせん形状であると、日常生活又、スポーツ等の動作時、固定して使用する事は、困難であった。
これらを、解消する為、ダイオード中心部を、絶縁体にて保定し、両端部（アノード部、カソード部）を、それぞれ、上下面に突出させる事によって、体表に対して、垂直方向による効果を維持させつつ、固定する事を可能にした治療用具。
【考案の詳細な説明】
【技術分野】
【０００１】  本考案は、鍼治療、指圧、整体等の施術において、痛み、凝りを緩和する目的で、ダイオードを使用する場合に関するものである。
【背景技術】
【０００２】  従来、垂直方向性を維持し、鍼治療と併用できるダイオード治療用具がある。
（出願番号  実願２００７−００３８７１、登録第３１３４８６３号）
【考案の開示】
【考案が解決しようとする課題】
【０００３】  しかしながら、上記従来の技術では、らせん形の形状により、日常生活又は、スポーツによる動作時等において、体表面に固定して継続して使用できない不便さがあった。
【課題を解決するための手段】
【０００４】  本考案は、ダイオード中心部の半導体を、上下絶縁体にて保定し、両端部の接触面（アノード部、カソード部）をそれぞれ上下面に突出させる事によって、体表に対して垂直方向による効果を維持させつつ、固定する事を可能にし、上記課題を解決するものである。
【考案の効果】
【０００５】  請求項１の考案によれば、人体に対して、ダイオードの導通方向を垂直に維持しつつ、形状が平面の為、体表にテープ等で固定し、日常生活、スポーツ等の労作時に、継続して使用が可能である。
【考案を実施するための最良の形態】
【０００６】  図面を参照にして本考案の形態を説明する。
１、  通常のダイオードである。
２、３、  上下を、円板状の絶縁体（紙又はプラスチック）で狭む。
４、５、  カソード、アノードの接触導線を、上下に折り曲げる
４′５′、  上面から観た図である。
６、  折り曲げた部に接触するように、導体（アルミ泊）を貼る。
６′  ６を、上面から観た図である。
７、  完成図（上面、側面）
【図面の簡単な説明】
【０００７】
【図１】図は本考案の組み立て図、完成図（上面、側面）である。１、ダイオードａ  ２、絶縁体ｂ  ３、絶縁体にて狭んだ形状  ４、４′  カソード、アノード部を上下に折り曲げる（側面、上面）  ５、５′  〃  折り曲げ完成した形状（側面、上面）
0003141233.tif 000003
７  完成した形状（側面、上面）  ａダイオード  ｂ絶縁体  ｃアルミ泊
【図１】
0003141233.tif 000004
【手続補正書】
【提出日】平成20年1月24日(2008.1.24)
【手続補正１】
【補正対象書類名】実用新案登録請求の範囲
【補正対象項目名】請求項１
【補正方法】変更
【補正の内容】
【請求項１】
体表のツボにダイオードを貼る、ダイオード療法において中心部を絶縁体にて促定し、両端部（アノード部、カソード部）を上下面に突出させ曲げて、平らな形状にする事により、治療に最も有効な、体表に対して、垂直方向を維持させつつツボに貼り付け使用する事を容易にした治療用具。
(57)【要約】      （修正有）【課題】引出し式収納の収納物の偏りと引出し奥の活用しにくさの解消。【解決手段】仕切り板２を溝３に設置することにより収納物の偏りを防止する。また、取っ手部１を引出しの前後両側に設け、引出しの前後入替えを可能にする。【選択図】図３
0003141234.tif 000002
【実用新案登録請求の範囲】
【請求項１】
引出しを前後逆に入れ替える事が可能な引出し式収納
【請求項２】
引出し内の仕切りが可能な引出し式収納
【考案の詳細な説明】
【技術分野】
【０００１】  本考案は、引出し式収納に関する。
【背景技術】
【０００２】  従来の引出し収納は、押入れやクローゼットに合わせ奥行きが深く、引出しの奥の有効利用がしにくい。
【考案の開示】
【考案が解決しようとする課題】
【０００３】  引出しの奥の収納物が取り出しにくかったり、取り出そうとすると引出しのバランスが崩れたり不都合が多く、また衣装用の引出し収納の場合は、季節によって収納容積が異なるため、引出しの必要数が違い衣替えには不便である。
【課題を解決するための手段】
【０００４】  引出し内を仕切りで区分け出来る（図３）ようにし、引出し奥側面にも取っ手部を付け（図１）、引出しの前後を問わず入替えが出来るようにする。（図２）これにより、収納物の偏りや引出しの奥が有効的に活用できる。
【考案の効果】
【０００５】  本考案の仕切りと前後問わない入替え可能引出しにより、収納量に応じた収納が可能となり、収納物の偏り防止もできると共に引出し奥の利用が容易になる。
また衣装収納として利用した場合、季節入替えなどにも引出しを前後逆に差し替えるだけになるなど、衣替えが容易になる。
【考案を実施するための最良の形態】
【０００６】  本考案に係る前後入替え可能引出しには、図１の１に示すように引出しの前後両側に取っ手部を備えている。
また、本考案に係る仕切りには、図３の３のように図３の２の仕切り板が自立できるよう引出しの内側面に溝を備えている。その溝は、図３には３つの溝で形成されているが、製品の大きさに応じて増やす事が望ましい。
【図面の簡単な説明】
【０００７】
【図１】    本考案に係る前後入替え可能引出しの前後両側取っ手部を示した図である。
【図２】    本考案に係る前後入替え可能引出しの入替え時を示した図である。
【図３】    本考案に係る引出し内の仕切り板と設置箇所を示した図である。
【符号の説明】
【０００８】    １    取っ手部
２    仕切り板
３    仕切り溝
【図１】
0003141234.tif 000003
【図２】
0003141234.tif 000004
【図３】
0003141234.tif 000005
【手続補正書】
【提出日】平成20年1月25日(2008.1.25)
【手続補正１】
【補正対象書類名】明細書
【補正対象項目名】全文
【補正方法】変更
【補正の内容】
【考案の詳細な説明】
【技術分野】
【０００１】本考案は、引出し型の収納ケースに関する。
【背景技術】
【０００２】従来の引出し型収納は、押入れやクローゼット等での使用に合わせ、引出しの奥行きが深い為、引出しの奥の有効利用がしにくい。
【考案の開示】
【考案が解決しようとする課題】
【０００３】本考案は、従来の引出し型収納使用の際、収納スペースの奥に収納している物が取出しにくく、取出す際に積上げられた引出し型収納自体のバランスが悪く崩れるため快適な使用に供せんとするものである。また衣類収納に用いた場合の季節による収納容積が異なるため、引出しの必要数が違い衣替えには不便である。
【課題を解決するための手段】
【０００４】本考案は、収納ケースの内側面に間仕切りを設置するための凹部及び収納ケースの引出し方向とは反対側の側面（前後両側）にも取っ手部を形成した事を特徴とする。
【考案の効果】
【０００５】請求項１により、収納ケース内に間仕切りの設置を可能とし、収納ケース自体も前後を問わない入替えを可能にすることにより、収納量に応じた収納ができ、収納物の偏り防止もできる。また、衣類収納として利用した場合、間仕切りを境に季節物を分けて収納を行えば、季節入替えの際、引出しを前後逆に差し替えるのみとなり、引出し奥の利用や衣替えが容易になる。
【考案を実施するための最良の形態】
【０００６】本考案に係る前後入替え・仕切り可能、引出し型収納には、図１の１に示すように収納ケースの前後両側に取っ手部を備えている。また、本考案に係る間仕切りは、図３の４に示すように図３の５の仕切り板が自立できるよう引出しの内側面に凹部を備えている。凹部は、図３では３箇所の凹部で形成されているが、製品の大きさに応じて増やす事が望ましい。
【図面の簡単な説明】
【０００７】
【図１】本考案の収納ケースに形成した前後両側の取っ手部を示す図。
【図２】本考案の収納ケースを前後入替えのイメージを示す図。
【図３】本考案の間仕切りの仕切り板を設置する箇所を示す図。
【符号の説明】
【０００８】１    取っ手部２    収納ケース３    ケース本体４    凹部５    仕切り板
【手続補正２】
【補正対象書類名】実用新案登録請求の範囲
【補正対象項目名】全文
【補正方法】変更
【補正の内容】
【実用新案登録請求の範囲】
【請求項１】
引出し型収納の収納ケース内側面に間仕切りを設置するための凹部及び収納ケースの引出し方向とは反対側の側面（前後両側）にも取っ手部を形成する事により、収納ケース内の間仕切りの設置及び本体ケースへの前後を問わない収納ケースの挿入可能を特徴とした引出し型収納。
【手続補正３】
【補正対象書類名】図面
【補正対象項目名】全図
【補正方法】変更
【補正の内容】
【図１】
0003141234.tif 000006
【図２】
0003141234.tif 000007
【図３】
0003141234.tif 000008
(57)【要約】      （修正有）【課題】従来の携帯電話では、健康管理機能がないため、血圧計・体温計・歩数計等別途用意しなければならない。こうした不具合の解消等。【解決手段】血圧計１、体温計２、歩数計３等の健康管理機能を付加した携帯電話２０にすることにより、この課題を解決する。【選択図】図１
0003141240.tif 000002
【実用新案登録請求の範囲】
【請求項１】
健康管理（血圧、体温、歩数計等）の装置を付加した携帯電話。
【考案の詳細な説明】
【技術分野】
【０００１】  本考案は、健康管理（血圧、体温、歩数計等）の装置を付加した携帯電話に関する。
【背景技術】
【０００２】  従来の携帯電話では、健康管理機能（血圧、体温、歩数計等）が付加されていない。（図２）
【考案の開示】
【考案が解決しようとする課題】
【０００３】  これでは健康管理が必要とされる高齢者が外出の際、種々の健康管理装置を持参するか、持参しないで健康管理をしないかの不都合が生じていた。
【課題を解決するための手段】
【０００４】  そこで、健康管理（血圧、体温、歩数計等）の装置を付加した携帯電話を考案した。（図１）。
【考案の効果】
【０００５】  よって、この機能付加による携帯電話は健康管理の装置を利用して健康状態や増進をすることが出来る。
【考案を実施するための最良の形態】
【０００６】  本考案に係る機能を持つ携帯電話２０は、図１に示すように、必要に応じて血圧、体温、歩数等の健康管理の測定が出来る。
【図面の簡単な説明】
【０００７】
【図１】  本考案に係る機能を持つ装置を付加した携帯電話の図である。
【図２】  従来の携帯電話の図である。
【符号の説明】
【０００８】  １    血圧計
２    体温計
３    万歩計
１０    従来型携帯電話
２０    健康管理機能付携帯電話
【図１】
0003141240.tif 000003
【図２】
0003141240.tif 000004
【手続補正書】
【提出日】平成20年1月18日(2008.1.18)
【手続補正１】
【補正対象書類名】実用新案登録請求の範囲
【補正対象項目名】全文
【補正方法】変更
【補正の内容】
【実用新案登録請求の範囲】
【請求項１】
健康管理の装置を付加した携帯電話。
【手続補正２】
【補正対象書類名】明細書
【補正対象項目名】０００１
【補正方法】変更
【補正の内容】
【０００１】本考案は、健康管理の装置を付加した携帯電話。
【手続補正３】
【補正対象書類名】明細書
【補正対象項目名】０００２
【補正方法】変更
【補正の内容】
【０００２】従来の携帯電話では、健康管理機能が付加されていない。
【手続補正４】
【補正対象書類名】明細書
【補正対象項目名】０００４
【補正方法】変更
【補正の内容】
【０００４】そこで、健康管理装置として血圧計・体温計・歩数計を付加した携帯電話を考案した。
【手続補正５】
【補正対象書類名】明細書
【補正対象項目名】０００６
【補正方法】変更
【補正の内容】
【０００６】本考案に係る機能を持つ携帯電話（２０）は、健康管理状態や健康管理増進のため、図１に示すように、必要に応じて血圧、体温、歩数を測定することが出来る。
(57)【要約】      （修正有）【課題】低温品の保管スペースが十分に取れ、また氷冷却も併用するため電気代も節約できる冷凍冷蔵庫を提供する。【解決手段】低温庫への適温供給機能を有する冷凍冷蔵庫により、低温庫が適温になるよう温度を供給できる氷置棚８に氷を置き冷却するが、適温供給連絡管７により低温庫１５が適温に保持できるよう管理することが出来る。【選択図】図１
0003141238.tif 000002
【実用新案登録請求の範囲】
【請求項１】
別置き低温庫へ温度供給装置付冷凍冷蔵庫。
【考案の詳細な説明】
【技術分野】
【０００１】  本考案は、ジャガイモ、ワインなどの保管を目的とする低温庫が適温となるよう温度供給できる機能を有する冷凍冷蔵庫に関する。
【背景技術】
【０００２】  従来の冷凍冷蔵庫では、冷蔵庫内の各室へ適温を供給できる機能は有しているが外部への温度供給はできない。（図２）
【考案の開示】
【考案が解決しようとする課題】
【０００３】  これでは冷凍冷蔵庫内の低温室のスペースに限りがあるため、低温品の保管には十分なスペースが取れない不都合が生じていた。
【課題を解決するための手段】
【０００４】  そこで、冷凍冷蔵庫とは別に低温庫を設置し、冷蔵庫から適温を供給できる機能を有する冷凍冷蔵庫を考案した。（図１）。
【考案の効果】
【０００５】  よって、この機能により、低温品の保管スペースが十分に取れ、また氷冷却も併用するため電気代も節約できる。
【考案を実施するための最良の形態】
【０００６】  本考案に係る機能を持つ冷凍冷蔵庫２０は、図１に示すように、氷置棚８に氷を置き冷却するが、適温供給連絡管７により低温庫１５が適温に保持できるよう管理することが出来る。
【図面の簡単な説明】
【０００７】
【図１】  本考案に係る機能を持つ装置を搭載した冷凍冷蔵庫の図である。
【図２】  従来型の冷凍冷蔵庫の図である。
【符号の説明】
【０００８】  １    冷蔵室
２    氷温室
３    野菜室
４    独立アイス室
５    切替室
６    冷凍室
７    適温供給連絡管
８    氷置棚
１０    従来型冷凍冷蔵庫
１５    低温庫
２０    低温庫付帯機能付冷凍冷蔵庫
【図１】
0003141238.tif 000003
【図２】
0003141238.tif 000004
【手続補正書】
【提出日】平成20年1月18日(2008.1.18)
【手続補正１】
【補正対象書類名】実用新案登録請求の範囲
【補正対象項目名】全文
【補正方法】変更
【補正の内容】
【実用新案登録請求の範囲】
【請求項１】
別置低温庫へ冷温供給できる適温供給連絡管付冷凍冷蔵庫。
【手続補正３】
【補正対象書類名】明細書
【補正対象項目名】０００２
【補正方法】変更
【補正の内容】
【０００２】従来の冷凍冷蔵庫では、冷蔵庫内の各室へ適温を供給できる機能は有しているが、外部への温度供給は出来ない。
【手続補正４】
【補正対象書類名】明細書
【補正対象項目名】０００４
【補正方法】変更
【補正の内容】
【０００４】そこで、冷凍冷蔵庫から適温供給連絡管７で適温を低温庫１５に送り込めるよう冷凍液を分岐する機能を付加した冷凍冷蔵庫２０を考案した。
(57)【要約】      （修正有）【課題】吊したり陳列したり飾ったりするのに便利な両方向紙ばさみを提供する。【解決手段】コイル状バネ４で固定された、本体の上段部１と中段部２の間で１ケ所、中段部２と下段部３の間にも１ケ所、前後に合計２ケ所の紙等をはさむ部分を備えた。【選択図】図２
0003141284.tif 000002
【実用新案登録請求の範囲】
【請求項１】
前後２ケ所に紙等をはさむために上段部・中段部・下段部の３つからなる本体部分と、それらを固定、はさむ力を持つコイル状バネを備えた、両方向紙ばさみ。
【考案の詳細な説明】
【技術分野】
【０００１】  本考案は紙、布等をはさむ紙ばさみに関する。
【背景技術】
【０００２】  従来の紙ばさみは紙を束ねてはさんだり、布や紙をつかむことができるが、それだけでは、それをいろんな場所に自由に接続することが難しかった。
【考案の開示】
【考案が解決しようとする課題】
【０００３】  しかし、これでは紙や布などをはさんだ、紙ばさみを他の物に固定したり、吊り下げたりが難しく、陳列したり飾ったりするのに不便である。
【課題を解決するための手段】
【０００４】  そこでコイル状バネと上段・中段・下段の３つの部分からなる本体を備えた両方向紙ばさみ考案した。（図３）この両方向紙ばさみにより前後２ケ所で紙や布をはさむことが出来るため、紙等をはさんで、それを陳列したり飾ったりが難しくなくなる。
【考案の効果】
【０００５】  よって本考案の両方向紙ばさみにより書類、カード、衣類、等をこれだけでいろんな場所に接続することが出来、吊したり、飾ったり、陳列することが容易である。また取り外しも容易である。
【考案を実施するための最良の形態】
【０００６】  本考案に係る両方向紙ばさみは図２に示すように上段部１・中段部２・下段部３からなる本体部分とそれらを固定、はさむ力をもつコイル状のバネ４を備える。そして、このコイル状のバネ部は、従来の紙ばさみによく使われている物と同じバネ２つを組み合わせて使用することができる。しかし、図４の示すようなバネ５の方が金属素材の量が少なくすみ望ましい。本体部分は木・プラスティック等、軽く加工しやすいものが望ましい。
【図面の簡単な説明】
【０００７】
【図１】  本考案に係る紙ばさみ本体の天面図と正面図である。
【図２】  本考案に係る紙ばさみの本体とバネ部の組立立面図である。
【図３】  本考案に係る紙ばさみの立面図である。
【図４】  本考案に係るコイル状バネの立面図である。
【符号の説明】
【０００８】  １  紙ばさみ本体の上段部。
２  紙ばさみ本体の中段部。
３  紙ばさみ本体の下段部。
４  従来型のコイル状バネ２個。
５  コイル状のバネ。
６  紙をはさみくわえる部分。
７  紙をはさみくわえる部分。
【図１】
0003141284.tif 000003
【図２】
0003141284.tif 000004
【図３】
0003141284.tif 000005
【図４】
0003141284.tif 000006
(57)【要約】      （修正有）【課題】スリッパの主な特徴は、脱着の容易さとサイズにおける汎用性の高さである。通常の使用時には便利だが、災害時などの緊急避難を要する場合は、脱着の容易さが安全性を損なう。通常使用時の利便性を確保しつつ、緊急避難を要する場合には、安全性の確保とともに迅速に避難することができることを課題とする。また、従来の防災機能を備えたスリッパは、安全バンドを備えたもの等があるが、この場合、スリッパが脱げにくくなる効果があっても、足元を保護する効果がないため、十分に安全性が確保されているとはいえないことの解消を課題とする。【解決手段】伸縮性の優れた内部サポーター１をスリッパ本体２に装着することにより、足元を保護しながら、走行性能にも優れた履物となり、この問題を解決する。【選択図】図１
0003141281.tif 000002
【実用新案登録請求の範囲】
【請求項１】
スリッパに伸縮性に優れた内部サポーターを装着し、この内部サポーターを使用することによりスリッパが靴状となり、足の甲、両側部分、かかと部分を保護する安全スリッパ。
【考案の詳細な説明】
【技術分野】
【０００１】  本考案は、スリッパに関するものであり、通常は普通のスリッパとして快適に使用できるが、地震などの災害時には、伸縮性に優れた内部サポーター（図３）を使用することにより、素早く簡単に足元（かかとや甲）をしっかり保護するとともに、避難時にスリッパが脱げにくくなるようにサポートしたものである。
【背景技術】
【０００２】  防災機能を備えたスリッパの例として、安全バンドを備えたものがある。
【考案の開示】
【考案が解決しようとする課題】
【０００３】  スリッパの主な特徴は、脱着の容易さとサイズにおける汎用性の高さである。通常の使用時には便利だが、災害時などの緊急避難を要する場合は、脱着の容易さが安全性を損なう。通常使用時の利便性を確保しつつ、緊急避難を要する場合には、安全性の確保とともに迅速に避難することができることを課題とする。
【課題を解決するための手段】
【０００４】  この課題を解決するために、スリッパの内側に伸縮性に優れた内部サポーターを装着する（図１）。この内部サポーターにより、足元を保護しながら、緊急避難時の歩行性能においても足元にしっかりフィットした優れた履物として使用できる。
【考案の効果】
【０００５】  本考案により、通常使用することができるスリッパを、緊急時には、そのまま避難用の履物として使用することができる。また、スリッパを履いた状態で簡単に内部サポーターの装着が可能なため、迅速な避難が可能になる。
【考案を実施するための最良の形態】
【０００６】  本考案に係るスリッパは、図１に示すように、スリッパ本体の内側に伸縮性に優れた内部サポーター（図３）を装着していることを特徴とする。内部サポーターは、上部（甲部分）３と足底部４の部分でスリッパ本体と固定する。この内部サポーターにより、足元の保護とスリッパ本体と足元との一体感を可能にする。【０００７】  図２は、通常時の使用におけるスリッパの形態である。図３に示す、内部サポーターを甲部分、足両側部分、かかと部分を外側に折り曲げることにより、スリッパの高い脱着性を確保することができる。【０００８】  図３に示す内部サポーターにより、日常時は通常のスリッパとして快適に使用することができるが、緊急避難を要する場合には、瞬時に足元を保護することが可能になり、また走行時にスリッパが脱げにくくなる効果を発揮する。【０００９】  内部サポーターの底部５により、スリッパ内側の底部に内部サポーターを確実に固定するとともに、通常使用する際にスリッパの足底部に段差が出来ないようにし、違和感なく着用することができる。
【図面の簡単な説明】
【０００１０】
【図１】    本考案に係る、スリッパに内部サポーターを装着した状態を表すものである。
【図２】    通常時にスリッパを使用する際の内部サポーターの形状を表すものである。
【図３】    内部サポーターの形状を表すものである。
【符号の説明】
【０００１１】１    内部サポーター
２    スリッパ本体
３    スリッパ本体と内部サポーターの上部（足の甲）の固定部分
４    スリッパ本体と内部サポーターの底部の固定部分
５    内部サポーター底部の形状
【図１】
0003141281.tif 000003
【図２】
0003141281.tif 000004
【図３】
0003141281.tif 000005